(57)【要約】【課題】マッサージを効果的に行いうるマッサージ装置を提供する。【解決手段】回転軸２５が移動方向に対して対象にＶ字を形成するよう配設された一対の第１のローラ４Ａ，４Ｂと、使用時に使用者に把持されると共に第１のローラ４Ａ，４Ｂを回転自在に軸承する本体部２とを具備するマッサージ装置であって、前記第１のローラ４Ａ，４Ｂに螺旋状フィン４１を設けると共に、この螺旋状フィン４１の回転軸２５に対する巻き数を２以上に設定する。また、ローラ４Ａ，４Ｂのゴム硬度を６５以上１００以下に設定する。更に、ローラ４Ａの回転軸２５とローラ４Ｂの回転軸２５とのなす内角θを１００°以上１２０°以下に設定する。【選択図】図１
2012183171.tif 000002
【特許請求の範囲】
【請求項１】
回転軸が移動方向に対して対象にＶ字を形成するよう配設された一対の第１のローラと、
使用時に使用者に把持されると共に前記第１のローラを回転自在に軸承する本体部とを具備するマッサージ装置であって、
前記第１のローラに螺旋状フィンを設けると共に、該螺旋状フィンの巻き数を２以上に設定し、
前記第１のローラのゴム硬度を６５以上１００以下に設定し、
かつ、前記第１のローラの回転軸のなす内角を１００°以上１２０°以下に設定したことを特徴とするマッサージ装置。
【請求項２】
前記移動方向に対して直角方向に延在するよう回転軸が設けられた第２のローラを設けたことを特徴とする請求項１記載のマッサージ装置。
【請求項３】
前記一対の第１のローラを二組設けると共に、各一対の第１のローラを前記移動方向に離間させて前記本体内に配設したことを特徴とする請求項１又は２記載のマッサージ装置。
【請求項４】
前記第２のローラを、前記二組の前記一対の第１のローラの間に配設したことを特徴とする請求項２又は３記載のマッサージ装置。
【発明の詳細な説明】
【技術分野】
【０００１】
本発明はマッサージ装置に係り、特にローラを用いてマッサージを行うマッサージ装置に関する。
【背景技術】
【０００２】
一般に、手動により駆動されるマッサージ装置は、円柱状の回転体（ローラ）を備えた構成のものが多く提供されている（例えば、特許文献１参照）。この種のマッサージ装置は、ローラの回転によりマッサージ部位に刺激を与え、このマッサージ効果によって血行を良好とし皮膚の新陳代謝を活発にする構成とされていた。また、複数のローラを傾けて配設することにより、マッサージ効果を高めたマッサージ装置も提案されている（特許文献２参考資料）。
【先行技術文献】
【特許文献】
【０００３】
【特許文献１】実開平０６−０２１６３１号公報
【特許文献２】特開２００５−２０５０７３号公報
【発明の概要】
【発明が解決しようとする課題】
【０００４】
上記のように、複数のローラを傾けて配設することによりマッサージ効果を高めることが可能となる。しかしながら、従来のマッサージ装置は、ローラの形状、ローラの硬度、及びローラの傾きの適正化が図られていなかったため、必ずしも十分なマッサージ効果を得ることができないという問題点があった。
【０００５】
本発明は上記の点に鑑みてなされたものであり、ローラの形状、ローラの硬度、及びローラの傾きの適正化を図ることによりマッサージ効果の向上を図ったマッサージ装置を提供することを目的とする。
【課題を解決するための手段】
【０００６】
上記の課題は、第１の観点からは、
回転軸が移動方向に対して対象にＶ字を形成するよう配設された一対の第１のローラと、
使用時に使用者に把持されると共に前記第１のローラを回転自在に軸承する本体部とを具備するマッサージ装置であって、
前記第１のローラに螺旋状フィンを設けると共に、該螺旋状フィンの巻き数を２以上に設定し、
前記第１のローラのゴム硬度を６５以上１００以下に設定し、
かつ、前記第１のローラの回転軸のなす内角を１００°以上１２０°以下に設定したことを特徴とするマッサージ装置により解決することができる。
【発明の効果】
【０００７】
開示の発明によれば、ローラの形状、硬度、及び傾きの適正化を図ることにより、つまみ上げによるマッサージを効果的に行うことが可能となる。
【図面の簡単な説明】
【０００８】
【図１】図１は本発明の第１実施形態であるマッサージ装置を示しており、（Ａ）は平面図、（Ｂ）は正面図、（Ｃ）は底面図、（Ｄ）は右側面図、（Ｅ）は背面図、（Ｆ）は（Ｂ）におけるＸ−Ｘ線に沿う断面図である。
【図２】図２は、本発明の第１実施形態であるマッサージ装置を使用している状態を示す図である。
【図３】図３は、ローラの動作を説明するための図である。
【図４】図４は、一対のローラの回転軸のなす内角を変化させた時の実験結果を示す図である。
【図５】図５は、ローラの旋回状フィンの巻き数及びローラの硬度を変化させた時の実験結果を示す図である。
【図６】図６は本発明の第２実施形態であるマッサージ装置を示しており、（Ａ）は平面図、（Ｂ）は正面図、（Ｃ）は左側面図、（Ｄ）は右側面図、（Ｅ）は背面図、（Ｆ）は（Ｂ）におけるＹ−Ｙ線に沿う断面図である。
【発明を実施するための形態】
【０００９】
次に、本発明の実施の形態について図面と共に説明する。
【００１０】
図１乃至３は、本発明の一実施形態であるマッサージ装置１Ａを示している。本実施形態に係るマッサージ装置１Ａは美容に用いられるものであり、具体的には、美容を目的として使用者のわき腹、顔、首等に対してマッサージを行う際に使用するものである。このマッサージ装置１Ａは、本体部２、第１のローラとなるローラ４Ａ，４Ｂ、第２のローラとなるローラ５等を有した構成とされている。
【００１１】
本体部２はマッサージ装置１Ａの使用時に使用者に把持されるものであり、樹脂により形成されている。この本体部２は、上面部２１、側面部２２、及び軸承部２３Ａ，２３Ｂ，２４を有した構成とされている。なお、本体部２の材質は樹脂に限定されるものではなく、金属、木、ガラス、石、ゴム、など各種素材を用いることも可能である。
【００１２】
上面部２１は、使用者が把持し易いよう、緩やかな湾曲形状とされている。また、上面部２１の両側部には、側面部２２が下方に向けて延出するよう形成されている。
【００１３】
軸承部２３Ａは、一対のローラ４Ａ，４Ｂの各回転軸２５の内側端部を軸承する。この軸承部２３Ａは、本体部２の矢印Ｘ１方向（図１（Ｂ），（Ｄ），（Ｅ）に示す）の先端位置に設けられている。また、軸承部２３Ａの配設位置は、一対のローラ４Ａ，４Ｂの中央位置に設定されている。
【００１４】
他の軸承部２３Ｂは、本体部２の両側の側面部２２に夫々設けられている。この一対の軸承部２３Ｂは、一対のローラ４Ａ，４Ｂの各回転軸２５の外側端部を軸承する。よって、ローラ４Ａ，４Ｂは、軸承部２３Ａと軸承部２３Ｂとの間で回転自在に軸承される。
【００１５】
また軸承部２４は、本体部２の軸承部２３Ｂの形成位置よりも矢印Ｘ２方向側に配設されている。この軸承部２４は、本体部２の両側の側面部２２に夫々設けられている。この一対の軸承部２４は、ローラ５の回転軸２５の両端部を回転自在に軸承する。
【００１６】
次に、ローラ４Ａ，４Ｂ，５について説明する。本実施形態に係るマッサージ装置１Ａは、本体部２のＸ１方向側に配設された一対のローラ４Ａ，４Ｂ（第１のローラ）と、本体部２のＸ２方向側に配設されたローラ５（第２のローラ）を有している。
【００１７】
ローラ４Ａとローラ４Ｂは同一構成とされており、回転軸２５と螺旋状フィン４１を一体的に形成した構成とされている。
【００１８】
この一対のローラ４Ａ，４Ｂは、図１（Ｅ）に示すように、その各回転軸２５がマッサージ装置１Ａの移動方向（Ｘ１方向）に対して左右対称にＶ字を形成するよう配置されている。また、ローラ４Ａの回転軸２５の中心軸ＸＡと、ローラ４Ｂの回転軸２５の中心軸ＸＢとがなす内角（図１（Ｅ）に矢印θで示す角度）が１００°以上１２０°以下になるよう設定されている（これについては、後に詳述する）。
【００１９】
また本実施形態では、各ローラ４Ａ，４Ｂは所定の硬度を有した樹脂により形成されている。しかしながら、ローラ４Ａ，４Ｂの材質は樹脂製に限定されるものではなく、後述する所定の硬度を有するものであれば、金属、木、ガラス、石、ゴム、など各種素材を用いることが可能である。
【００２０】
各ローラ４Ａ，４Ｂは、前記のように回転軸２５の内側端部が軸承部２３Ａに軸承され、外側端部が軸承部２３Ｂに軸承されることにより、本体部２に回転可能に取り付けられた構成とされている。この際、軸承部２３Ａの高さ位置は、軸承部２３Ｂの高さ位置よりも高い位置に設定されている。具体的には図３に示すように、軸承部２３Ａの高さは軸承部２３Ｂの高さに対して図３に矢印ΔＨで示す距離だけ高い位置に設定されている。
【００２１】
このように中央位置における回転軸２５の軸承位置が高くなることにより、中央位置においてローラ４Ａ，４Ｂ間に肌がはさみ込まれることを防止することができる。
【００２２】
螺旋状フィン４１は、回転軸２５に螺旋状に形成されている。この螺旋状フィン４１は、ローラ４Ａ，４Ｂの回転に伴い、使用者のマッサージ部位Ａを内側（本体部２の中心方向）に向けてつまみ上げる機能を奏するものである。
【００２３】
本実施形態では、回転軸２５に対する螺旋状フィン４１の巻き数は３回とされている。しかしながら、この巻き数は３回に限定されるものではなく、後に詳述するように螺旋状フィン４１の硬度との関係において設定されるものである。
【００２４】
この螺旋状フィン４１の形状は中央部から両側部に向けて漸次直径が小さくなる形状（全体形状としては略円錐状の形状）とされている。また、回転軸２５に対する螺旋状フィン４１の巻き数は、後述するように所定の巻き数に設定されている。
【００２５】
ところで、前記のように各ローラ４Ａ，４Ｂの回転軸２５は、はさみ込み防止の観点から、水平面に対して傾いて配設されている。そこで、仮に各ローラを中央から両側に向けて同じ直径のフィン形状にした場合を想定すると、中央位置が両側部に対して浮いた状態となり、中央部においてはローラはマッサージ部位Ａ（使用者の肌）に接触できなくなる。
【００２６】
しかしながら、本実施形態のように，螺旋状フィン４１の形状を中央部から両側部に向けて漸次直径が小さくなる形状とすることにより、各螺旋状フィン４１の使用者の肌に触れる位置を略水平とすることができ、マッサージ部位Ａにローラ４Ａ，４Ｂを確実に接触させることができ、よって確実にマッサージすることが可能となる。
【００２７】
一方、ローラ５は略円柱形状を有しており、その回転軸２６の両端部は軸承部２４に軸承されている。この際、ローラ４Ａ，４Ｂは前記のようにＶ字状に配置されているのに対し、ローラ５はその回転軸２６がマッサージ装置１Ａの操作方向（Ｘ１方向）に対して直行するよう配設されている。
【００２８】
また本実施形態では、ローラ５を樹脂により形成している。しかしながら、ローラ５の材質はこれに限定されるものではなく、金属、木、ガラス、石、ゴム、など各種素材を用いてもよい。また、その形状も円柱形状に限定されるものではなく、太鼓形状、多角形形状等の円柱以外の形状とすることも可能である。
【００２９】
図２は、上記構成とされたマッサージ装置１Ａを使用してマッサージを行っている状態を示している。同図では、マッサージ装置１Ａを腕に適用した例を示している。しかしながら、前記のようにマッサージ装置１Ａの適用は腕に限定されるものではなく、顔、首、体（腹部）等の種々の部位に適用が可能なものである。
【００３０】
マッサージ装置１Ａを使用する場合、使用者は本体部２を把持してマッサージ部位Ａを矢印Ｘ１方向に走行させる。これに伴いローラ４Ａ，４Ｂ，５は回転し、この各ローラ４Ａ，４Ｂ，５の回転に伴いマッサージ部位Ａの血行の促進等のマッサージ効果を実現できる。
【００３１】
この際、各ローラ４Ａ，４Ｂに形成された螺旋状フィン４１とマッサージ部位Ａの皮膚表面との間には、所定の摩擦力が発生する。また、各ローラ４Ａ，４Ｂに形成された螺旋状フィン４１は、回転に伴いマッサージ部位Ａを皮膚を内側に向けて付勢する（図３に矢印Ｇで示す方向に付勢する）。よって、隣接するローラ４Ａとローラ４Ｂとの間に形成された空間部１７において、図３に示すように、マッサージ部位Ａの皮膚はつまみ上げられた状態となる。
【００３２】
このように、本実施形態に係るマッサージ装置１Ａによれば、一対のローラ４Ａ，４Ｂ間でマッサージ部位Ａにつまみ上げ作用が発生するため、より良好なマッサージを行うことが可能となる。
【００３３】
なお、ローラ５の回転方向はマッサージ装置１Ａの移動方向（Ｘ１方向）と同一方向となるため、ローラ４Ａ，４Ｂが傾いて配設された構成であっても、使用時におけるマッサージ装置１Ａの走行安定性を図ることができる。またローラ５は、ローラ４Ａ，４Ｂでつまみ上げられた肌を引き伸ばす作用も行う。
【００３４】
ところで、各ローラ４Ａ，４Ｂによるマッサージ部位Ａのつまみ上げ量は、皮膚表面を移動させようとする移動付勢量Ｇ（図３参照）により決まり、また移動付勢量Ｇは(A)ローラ４Ａ，４Ｂの内角θ、(B)ローラ４Ａ，４Ｂ（螺旋状フィン４１）の材質の硬さ、(C)螺旋状フィン４１の巻き数により決められる。
【００３５】
本実施形態では、(A)ローラ４Ａ，４Ｂの回転軸２５のなす内角θを１００°以上１２０°以下に設定した。また、(B)ローラ４Ａ，４Ｂ（螺旋状フィン４１）の材質の硬さをゴム硬度で６５以上１００以下に設定した。更に、(C)螺旋状フィン４１の巻き数を２以上に設定した。以下、その理由について、図４及び図５を用いて説明する。
【００３６】
図４は、ローラ４Ａ，４Ｂの回転軸２５のなす内角θを変化させた際のつまみ効果を調べた実験結果を示す図である。本実験では、内角θを８０°，９０°，１００°，１１０°，１２０°，１３０°，１４０°，１５０°とした８種類のマッサージ装置を作成し、これを２０人にパネラーに使用してもらった。そして、使用時におけるマッサージ装置によるつまみ上げの効果を良好（◎で示す）、やや良好（○で示す）、不良（×で示す）の３段階で評価してもらった。図４は、その結果を示している。なお、本実験において、８種類のマッサージ装置のローラ４Ａ，４Ｂの硬度及び巻き数は同一とした。
【００３７】
本実験の結果より、つまみ上げの効果が良好であるローラ４Ａ，４Ｂの回転軸２５のなす内角θは１００°以上１２０°以下（１００°≦θ≦１２０°）であることが判明した。これは、内角θが１００°未満になると一対のローラ４Ａ，４Ｂが近接するため、つまみ上げ量が強くなりすぎ、逆に内角θが１２０°を越すと一対のローラ４Ａ，４Ｂが広がりすぎて十分なつまみ上げが行われなくなるからである。
【００３８】
一方、図５は、ローラ４Ａ，４Ｂの巻き数と硬度を変化させた際のつまみ効果を示す図である。本実験では硬度測定としてゴム硬度計（デュロメータ）を用い、JISK6301Aに準拠して測定を行った。
【００３９】
このゴム硬度計は硬度を０〜１００までの数値表記で表すことができ、測定値が０に近づくほど被測定物は柔らかく、逆に測定値が１００に近づくほど被測定は硬いことを示す。本実験では、ゴム硬度が３０，４０，５０，６５，８０，９０，１００の７種類のゴム硬度を有した材料を使用した。
【００４０】
また、巻き数は回転軸２５に形勢される螺旋状フィン４１の巻回数であり、本実験では上記した７種類の材料で巻き数が０（円柱形状であることを示す）、１，２，３，４，５の６種類のローラ４Ａ，４Ｂをそれぞれ作成した。よって、ゴム硬度で７種類、巻き数で６種類の合計で４２種類のローラ４Ａ，４Ｂを有したマッサージ装置１Ａを作成した。
【００４１】
そして、この４２種類のマッサージ装置１Ａを２０人にパネラーに使用してもらい、その際のつまみ上げの効果の状況を良好（○で示す）、やや良好（△で示す）、不良（×で示す）の３段階で評価してもらった。図５は、上記した実験の結果をまとめて示した図である。
【００４２】
本実験の結果より、螺旋状フィン４１の巻き数が２以上で、ローラ４Ａ，４Ｂのゴム硬度が６５以上１００以下の場合、つまみ上げの効果が良好であることが判明した。これは、螺旋状フィン４１の巻き数が１以下であると、螺旋状フィン４１による使用者の肌を内側に寄せる力（図３に矢印Ｇで示す力）が有効に発生しないことによる。また、ゴム硬度が６５未満であると、ローラ４Ａ，４Ｂが柔らか過ぎてしまい、この場合も螺旋状フィン４１による使用者の肌を内側に寄せる力（図３に矢印Ｇで示す力）が有効に発生しないことによる。
【００４３】
以上の実験結果より、(A)ローラ４Ａ，４Ｂの回転軸２５のなす内角θを１００°以上１２０°以下に設定し、また(B)ローラ４Ａ，４Ｂ（螺旋状フィン４１）の材質の硬さをゴム硬度で６５以上１００以下に設定すると共に、(C)螺旋状フィン４１の巻き数を２以上に設定することにより、良好なつまみ上げ効果を有したマッサージを行うことができることが実証された。
【００４４】
図６は、本発明の第２実施形態であるマッサージ装置１Ｂを示している。なお、図６に示した構成において、図１乃至図３に示した第１実施形態に係るマッサージ装置１Ａの構成と対応する構成については、同一符号を付してその説明を省略する。
【００４５】
前記した第１実施形態に係るマッサージ装置１Ａは、ローラ５に対してマッサージ装置１Ａの移動方向（Ｘ１方向）にローラ４Ａ，４Ｂを配設した構成としていた。これに対して本実施形態に係るマッサージ装置１Ｂは、一対の第１のローラを二組設けると共に、各一対の第１のローラをマッサージ装置１Ｂの移動方向（Ｘ１，Ｘ２方向）に離間させて配設したことを特徴とする。
【００４６】
即ち、本体部２のＸ１方向側にはローラ４Ａ，４Ｂが配設され、本体部２のＸ２方向側にはローラ４Ｃ，４Ｄが配設されている。このローラ４Ａ，４Ｂとローラ４Ｃ，４Ｄは同一構成とされているが、本体部２への配置においてはマッサージ装置１Ａの前後で（Ｘ１方向側とＸ２方向側とで）対称となるよう構成されている。
【００４７】
この構成とすることにより、マッサージ装置１ＢをＸ１方向に向けて移動操作させた場合でも、逆にマッサージ装置１ＢをＸ２方向に向けて移動操作させた場合でも、いずれの移動方向においてもつまみ上げを伴うマッサージを行うことが可能となる。このように、本実施形態では、マッサージ装置１Ｂの移動方向が一方向に限定されないため、使用性の向上を図ることができる。
【００４８】
また、本実施形態に係るマッサージ装置１Ｂにおいても、ローラ４Ｃ，４Ｄの回転軸２５がなす内角θは１００°以上１２０°以下に設定されており、またローラ４Ｃ，４Ｄの材質の硬さはゴム硬度で６５以上１００以下に設定されており、更に(C)螺旋状フィン４１の巻き数は２以上に設定されている。よって、第１実施形態で説明したと同様の理由により、本実施形態に係るマッサージ装置１Ｂにおいても、良好なつまみ上げ効果を有したマッサージを行うことができる。
【００４９】
以上、本発明の好ましい実施形態について詳述したが、本発明は上記した特定の実施形態に限定されるものではなく、特許請求の範囲に記載された本発明の要旨の範囲内において、種々の変形・変更が可能なものである
【符号の説明】
【００５０】
１Ａ，１Ｂ  マッサージ装置
２  本体部
４Ａ，４Ｂ，４Ｃ，４Ｄ，５  ローラ
２３Ａ，２３Ｂ  軸承部
２５，２６  回転軸
【図１】
2012183171.tif 000003
【図２】
2012183171.tif 000004
【図３】
2012183171.tif 000005
【図４】
2012183171.tif 000006
【図５】
2012183171.tif 000007
【図６】
2012183171.tif 000008